(57)【特許請求の範囲】
【請求項１】
機器を収容する段ボール紙製の外箱(6)を用いて前記機器を梱包する構造であって、
第１段ボール紙(2)を折り畳むことによって前記機器の外面の少なくとも一部を包囲する緩衝手段を備え、前記機器の外面に対して最も遠い前記緩衝手段の外縁までの距離が前記第１段ボール紙(2)の一枚分の肉厚よりも大きく設定されており、
前記緩衝手段は、三角形断面の筒体(200)を含み、
前記機器を包囲するコ字状断面の主体板と前記筒体(200)とは、一枚の前記第１段ボール紙(2)により形成され、
前記筒体(200)は、前記コ字状断面の両端部に備えられ、
前記コ字状断面の角部から前記機器とは反対側に突出する突出板を更に具備する機器の梱包構造。
【請求項２】
前記機器は、湯沸器である請求項１に記載の機器の梱包構造。
【発明の詳細な説明】
【０００１】
【発明の属する技術分野】
この発明は、湯沸器の梱包構造、特に、段ボール紙を用いて機器を梱包する構造に関するものである。
【０００２】
【従来の技術】
図９は、湯沸器（１）  の従来の梱包構造の説明図である。
同図に示すように、湯沸器（１）  の梱包には、従来、発泡スチロールによって成型され且つ湯沸器（１）  の上端部及び下端部に外嵌される一対の緩衝ブロック（９１）（９１）が用いられていた。そして、前記外嵌された緩衝ブロック（９１）（９１）と湯沸器（１）  とが段ボール紙製の外箱（９２）に収容される。
【０００３】
ところが、前記の緩衝ブロック（９１）（９１）は、発泡スチロール製であることから、湯沸器（１）  の納品に使用された後、リサイクルに際して、他の段ボール紙製の梱包材料（外箱（９２）等）とは別に分ける分別収集作業が必要であった。
【０００４】
【発明が解決しようとする課題】
そこで、緩衝ブロック（９１）（９１）の代わりに段ボール紙製の緩衝材を用いて、前記梱包材料と同じ材料に統一して分別作業を不要とすることが考えられる。
この場合、前記緩衝材として、湯沸器（１）  の上端部及び下端部の外面全域に密着するように一枚の段ボール紙を皿状に形成したものが考えられる。
【０００５】
ところが、前記緩衝材では、前記段ボール紙の肉厚分の緩衝効果しか得られないから、前記緩衝効果が不十分となる。
本発明は、緩衝性能を向上させた機器の梱包構造を提供することを目的とする。
【００１３】
【課題を解決するための手段】
請求項１の発明の解決手段は、
『機器を収容する段ボール紙製の外箱(6)を用いて前記機器を梱包する構造であって、
第１段ボール紙(2)を折り畳むことによって前記機器の外面の少なくとも一部を包囲する緩衝手段を備え、前記機器の外面に対して最も遠い前記緩衝手段の外縁までの距離が前記第１段ボール紙(2)の一枚分の肉厚よりも大きく設定されており、
前記緩衝手段は、三角形断面の筒体(200)を含み、
前記機器を包囲するコ字状断面の主体板と前記筒体(200)とは、一枚の前記第１段ボール紙(2)により形成され、
前記筒体(200)は、前記コ字状断面の両端部に備えられ、
前記コ字状断面の角部から前記機器とは反対側に突出する突出板を更に具備する』ことを特徴とする。
【００１４】
このものでは、前記緩衝手段は、前記第１段ボール紙(2)を折り畳むことによって前記機器の外面の少なくとも一部を包囲する構成であり、前記機器の外面に対して最も遠い前記緩衝手段の外縁までの距離が前記第１段ボール紙(2)の一枚分の肉厚よりも大きいことから、前記緩衝手段によって、一枚の前記第１段ボール紙(2)の肉厚分以上の緩衝効果が得られる。又、前記外箱(6)によっても衝撃力が吸収される。
更に、前記主体板及び前記筒体(200)によって、前記機器に対する衝撃力が緩衝されると共に、前記筒体(200)が三角形断面であるから、前記変形による衝撃力の吸収量が大きいものとなる。
又、前記突出板の変形によっても、衝撃力が吸収される。
【００１５】
請求項２の発明のように、『前記機器は、湯沸器である』ものでもよい。
【００１６】
【発明の効果】
以上説明したように、請求項１の発明では、上記緩衝手段によって、第１段ボール紙(2)の一枚の肉厚分以上の緩衝効果が得られるから、発明が解決しようとする課題の項で説明したものに比べ、緩衝性能が向上する。又、前記緩衝手段が段ボール紙製であるから、他の段ボール紙製の梱包材料を用いる場合、リサイクルの為の既述の分別作業が不要で、リサイクルし易い。
又、上記外箱(6)によっても前記衝撃力が緩衝されるから、前記緩衝性能が更に向上する。
【００１９】
上記主体板及び前記筒体(200)によって、前記機器に対する衝撃力が緩衝されるから、前記緩衝性能が更に向上する。又、前記主体板及び前記筒体(200)が一枚の第１段ボール紙(2)により形成されているから、前記主体板及び前記筒体(200)の構成が簡素化され、その製作が容易となる。更に、前記機器は、コ字状断面の前記主体板により包囲されると共に、前記コ字状断面の両端部に備えられた前記筒体(200)が略接触するから、前記機器の保持状態が安定する。
又、上記突出板によっても、前記機器に対する衝撃力が緩衝されるから、前記緩衝性能が更に向上する。
更に、前記筒体(200)が三角形断面であるから、前記衝撃力の吸収量が大きいものとなり、前記緩衝性能が更に向上する。
【００２３】
【発明の実施の形態】
以下、本願発明の実施の形態を、図面に基づいて説明する。
図１は、本願発明の実施の形態に於ける湯沸器（１）  の梱包構造の組立て斜視図である。
又、図２は、図１の湯沸器（１）  の正面図であり、図３は、図２の湯沸器（１）  の側面図である。
【００２４】
更に、図４は、図１の第１段ボール紙（２）  の展開図であり、図５は、図１の第２段ボール紙（３）  の展開図であり、図６は、図１の第３段ボール紙（４）  の展開図であり、図７は、図１の梱包構造の組立て手順の説明図であり、図８は、図１の梱包構造の完成状態での断面図である。
［各部の構成について］
＊湯沸器（１）  ＊
湯沸器（１）  は、図１〜図３に示すように、略直方体状に形成され、その裏面の上端から上方に突出する板状の第１金具（１１）と、前記裏面の下端から下方に突出する板状の第２金具（１２）と、を具備する構成となっている。又、この湯沸器（１）  の下端面から下方に突出する筒状のガス入口（１３）、水入口（１４）、及び、出湯口（１５）が備えられている。更に、湯沸器（１）  の正面には、操作つまみ（１６）が備えられている。尚、上記の第１金具（１１）及び第２金具（１２）は、湯沸器（１）  を台所等の壁面に固定する為に用いられるものである。
【００２５】
この湯沸器（１）  の梱包には、以下の第１〜第４段ボール紙（２）（３）（４）（５）及び段ボール紙製の外箱（６）  が用いられる。
＊第１段ボール紙（２）  ＊
第１段ボール紙（２）  は、図４に示すように、略矩形状の主板（２０）と、この主板（２０）の一方の短辺側に接続された略矩形状の第１側板（２１）と、主板（２０）の一対の長辺側に接続され且つ主板（２０）を中心に相互に対称な略矩形状の一対の第２・第３側板（２２）（２３）と、第２側板（２２）に対して第１側板（２１）の反対側に接続された略矩形状の第１フラップ板（２４）と、第３側板（２３）に対して第１側板（２１）の反対側に接続された略矩形状の第２フラップ板（２５）と、を具備する構成である。
【００２６】
第１側板（２１）には、梱包状態にて第１金具（１１）を保持する為の矩形の開口（２１０）  が設けられている。又、第１側板（２１）と主板（２０）との境界部には、第１側板（２１）を主板（２０）に対して折り込む為の折り目（２０１）  が形成されている。
第２・第３側板（２２）（２３）と主板（２０）との境界部には、主板（２０）の短辺に平行な切込み及び主板（２０）の内側に開放するコ字状の切込みが形成され、これら切込みによって、主板（２０）には、第２・第３側板（２２）（２３）側に突出する複数の矩形の突片（２１１）（２１１）が形成されている。又、前記切込みに於ける主板（２０）の内側の端部に略一致し且つ折り目（２０１）  に対して直角となるように、第２・第３側板（２２）（２３）を主板（２０）に対して折込む為の複数の折り目（２０２）（２０２）が形成されている。
【００２７】
第２側板（２２）に於ける第１側板（２１）側であって主板（２０）に対する反対側には、第３フラップ板（２６）が接続され、この第３フラップ板（２６）に於ける主板（２０）の反対側には第４フラップ板（２７）が接続されている。又、第４フラップ板（２７）には、第３フラップ板（２６）の反対側に突出する矩形の第１片部（２７０）  が備えられている。この第１片部（２７０）  は、第２側板（２２）に於ける第３フラップ板（２６）と主板（２０）との間に設けた矩形の第１孔部（２２０）  に脱出阻止状態に圧入できる大きさに形成されている。
【００２８】
第３側板（２３）に於ける第１側板（２１）側であって主板（２０）に対する反対側には、第５フラップ板（２８）が接続され、この第５フラップ板（２８）に於ける主板（２０）の反対側には第６フラップ板（２９）が接続されている。又、第６フラップ板（２９）には、第５フラップ板（２８）の反対側に突出する矩形の第２片部（２９０）  が備えられている。この第２片部（２９０）  は、第３側板（２３）に於ける第５フラップ板（２８）と主板（２０）との間に設けた矩形の第２孔部（２３０）  に脱出阻止状態に圧入できる大きさに形成されている。
【００２９】
第１フラップ板（２４）には、湯沸器（１）  の梱包状態にて上記のガス入口（１３）が挿通される第１孔部（２４０）  が設けられ、第２フラップ板（２５）には、前記梱包状態にて上記の水入口（１４）が挿通される第２孔部（２５０）  が設けられている。又、第１フラップ板（２４）には、前記梱包状態にて上記の出湯口（１５）が挿通される第１切欠部（２４１）  が設けられ、第２フラップ板（２５）には、前記梱包状態にて出湯口（１５）が挿通される第２切欠部（２５１）  が設けられている。
【００３０】
＊第２段ボール紙（３）  ＊
第２段ボール紙（３）  は、図５に示すように、略矩形状の中央板（３０）と、この中央板（３０）の一方に接続された第１折込み板（３１）と、中央板（３０）の他方に接続された第２折込み板（３２）と、からなる。尚、第１折込み板（３１）は、中央板（３０）及び第２折込み板（３２）よりも広幅に設定されている。
【００３１】
中央板（３０）には、上記梱包状態にてガス入口（１３）が挿通される第３孔部（３０１）  と、水入口（１４）が挿通される第４孔部（３０２）  と、出湯口（１５）が挿通される第５孔部（３０３）  と、が設けられている。
又、中央板（３０）には、その両端縁から外側に突出する一対の矩形片（３００）（３００）が備えられている。
【００３２】
＊第３段ボール紙（４）  ＊
第３段ボール紙（４）  は、図６に示すように、略矩形状の中央板（４０）と、中央板（４０）の一方に接続された第３折込み板（４１）と、中央板（４０）の他方に接続された第４折込み板（４２）と、からなる。尚、第３折込み板（４１）及びその近傍の中央板（４０）の端部は、中央板（４０）の主体部及び第４折込み板（４２）よりも広幅に設定されている。
【００３３】
又、中央板（４０）と第３・第４折込み板（４１）（４２）との境界部には、中央板（４０）の外側に向って開放する複数のコ字状の切込みが形成され、これら切込みによって、第３・第４折込み板（４１）（４２）には、中央板（４０）側に突出する複数の矩形の突出片（４００）（４００）が形成されている。
そして、前記コ字状の切込みの開放端縁に略一致する位置にて第３・第４折込み板（４１）（４２）を中央板（４０）に対して折り込む為の折り目が形成されている。
【００３４】
＊第４段ボール紙（５）  ＊
第４段ボール紙（５）  は、矩形状に形成され、図１に示すように、Ｕ字状断面に折曲げ形成された状態にて、湯沸器（１）  の付属部品（シャワーヘッド、乾電池等）を収容する。
＊外箱（６）  ＊
外箱（６）  は、図１に示すように、直方体状に形成され、この外箱（６）  には、その上端の４辺から外側に張り出し且つ上記梱包状態にて外箱（６）  を閉じる複数の閉塞板（６１）（６１）が備えられている。
【００３５】
［湯沸器（１）  の梱包について］
以上の第１〜第４段ボール紙（２）（３）（４）（５）及び段ボール紙製の外箱（６）  を用いた上記の湯沸器（１）  の梱包について、以下に説明する。
先ず、図７ーａに示すように、湯沸器（１）  の背面に沿うように第１段ボール紙（２）  の主板（２０）を配置する。
【００３６】
又、主板（２０）に対して折り目（２０１）  を境にして第１側板（２１）を主板（２０）に対して折り込み、主板（２０）と第１側板（２１）とにより第１金具（１１）を挟持させる。
次に、第３段ボール紙（４）  を、図７ーｂに示すように、Ｊ字状断面となるように、第３折込み板（４１）及び第４折込み板（４２）を中央板（４０）に対して折り込み、第４折込み板（４２）が上記の第１側板（２１）に接し且つ第３折込み板（４１）が湯沸器（１）  の正面に接するように配置する。このとき、突出片（４００）（４００）が中央板（４０）の外側（湯沸器（１）  の反対側）に突出したものとなる。この状態で、突出片（４００）（４００）が前記の主板（２０）よりも僅かに突出するように、突出片（４００）（４００）の突出長が設定されている。
【００３７】
又、第２段ボール紙（３）  を、Ｊ字状断面となるように、第１折込み板（３１）及び第２折込み板（３２）を中央板（３０）に対して折り込み、第２折込み板（３２）が第２金具（１２）と上記の主板（２０）とで挟持され且つ第１折込み板（３１）が湯沸器（１）  の正面に接するように配置する。このとき、湯沸器（１）  のガス入口（１３）を上記の第３孔部（３０１）  に挿入し、水入口（１４）を第４孔部（３０２）  に挿入し、出湯口（１５）を第５孔部（３０３）  に挿入する。
【００３８】
次に、第１段ボール紙（２）  の第２側板（２２）に対して第３フラップ板（２６）を湯沸器（１）  側に折り込み、第３フラップ板（２６）に対して第４フラップ板（２７）を折り込んで第１片部（２７０）  を第１孔部（２２０）  に圧入する。又、第３側板（２３）に対して第５フラップ板（２８）を湯沸器（１）  側に折り込み、第５フラップ板（２８）に対して第６フラップ板（２９）を折り込んで第２片部（２９０）  を第２孔部（２３０）  に圧入する。これら圧入によって、第２側板（２２）と第３フラップ板（２６）と第４フラップ板（２７）、及び、第３側板（２３）と第５フラップ板（２８）と第６フラップ板（２９）が、三角形断面の筒体（２００）（２００）を形成する。尚、この第１段ボール紙（２）  の中間層の波形紙（２ａ）は、その凹凸が筒体（２００）（２００）の軸方向に連続するように配置されている。
【００３９】
そして、第２・第３側板（２２）（２３）を、主板（２０）に対して直角姿勢となり且つ湯沸器（１）  の両側面に沿うように、折り目（２０２）（２０２）を境にして折り込む。この折込みによって、図１及び図８に示すように、複数の突片（２１１）（２１１）が第２・第３側板（２２）（２３）の外側（湯沸器（１）  の反対側）に突出したものとなる。これら突片（２１１）（２１１）は、第２・第３側板（２２）（２３）の前記折込みによって前記突出状態となるものであるから、主板（２０）の主体部と突片（２１１）（２１１）とが同一平面に位置する。
【００４０】
又、第２・第３側板（２２）（２３）の前記折込みによって、第４・第６フラップ板（２７）（２９）が湯沸器（１）  の正面と両側面との境界のコーナー部に接するように、第３〜第６フラップ板（２６）（２７）（２８）（２９）の大きさや第２・第３側板（２２）（２３）との接続位置が設定されている。
又、前記折込みによって、上記した一対の矩形片（３００）（３００）の一方が第２側板（２２）に於ける第１フラップ板（２４）側の端部に設けた第３孔部（２２１）  に挿通されて第２側板（２２）の外側に突出し、矩形片（３００）（３００）の他方が第３側板（２３）に於ける第２フラップ板（２５）側の端部に設けた第４孔部（２３１）  に挿通されて第３側板（２３）の外側に突出した状態となる。
【００４１】
これら左右の矩形片（３００）（３００）の外縁相互の距離、第１折込み板（３１）の幅、第３折込み板（４１）及びその近傍の中央板（４０）の端部の幅、及び、左右の突片（２１１）（２１１）の外縁相互の距離が略同一の大きさに設定されている。
続いて、図７ーｃに示すように、第１・第２フラップ板（２４）（２５）を中央板（３０）の外面に接するように折り込む。
【００４２】
このとき、ガス入口（１３）を第１フラップ板（２４）の第１孔部（２４０）  に挿入し、水入口（１４）を第２フラップ板（２５）の第２孔部（２５０）  に挿入し、出湯口（１５）を第１・第２フラップ板（２４）（２５）の第１・第２切欠部（２４１）（２５１）に挿入する。
この状態にて、ガス入口（１３）、水入口（１４）、及び、出湯口（１５）にキャップ（７）（７）を外嵌させる。これらキャップ（７）（７）の外径は、第１孔部（２４０）  、第２孔部（２５０）  、及び、第１・第２切欠部（２４１）（２５１）により形成される孔部より大きく設定されている。従って、これらキャップ（７）（７）と第１・第２フラップ板（２４）（２５）との係合によって、第１・第２フラップ板（２４）（２５）及び中央板（３０）がガス入口（１３）及び水入口（１４）に対して脱落しないものとなる。
【００４３】
更に、上記付属部品を収容した状態の上記の第４段ボール紙（５）  を、第１・第２フラップ板（２４）（２５）の外側に位置し且つ主板（２０）に接するように配置する。尚、この状態で第４段ボール紙（５）  に於ける第１・第２フラップ板（２４）（２５）とは反対側の外面と主板（２０）の端縁とが略一致するように、第４段ボール紙（５）  の大きさが設定されている。
【００４４】
この状態の湯沸器（１）  及び第１〜第４段ボール紙（２）（３）（４）（５）を、図７ーｄに示すように、外箱（６）  に対して、上方から挿入する。この外箱（６）  は、上方から見た場合の長辺の長さが突出片（４００）（４００）の先端から第４段ボール紙（５）  側の主板（２０）の端縁までの距離よりも僅かに大きく設定され、短辺の長さが左右の突片（２１１）（２１１）の外縁相互の距離よりも僅かに大きく設定されている。
【００４５】
この後、外箱（６）  の閉塞板（６１）（６１）を閉じると、湯沸器（１）  の梱包が完成する。
このものでは、上記した筒体（２００）（２００）を構成する第３〜第６フラップ板（２６）（２７）（２８）（２９）の各々の肉厚方向の潰れに加えて、各筒体（２００）  全体の変形によっても衝撃力が吸収されるから、一枚の段ボール紙の前記潰れによってのみ衝撃吸収するものよりも、緩衝性能が向上している。
【００４６】
又、筒体（２００）（２００）が三角形断面であるから、前記衝撃力の吸収量が大きいものとなり、前記緩衝性能が更に向上している。
更に、筒体（２００）（２００）は、一枚の段ボール紙（第１段ボール紙（２）  ）を折り畳むことによって形成されるから、筒体（２００）（２００）の製作が容易となっている。
筒体（２００）（２００）は、第３・第４フラップ板（２６）（２７）を折り込んで第１片部（２７０）  を第１孔部（２２０）  に圧入し、第５・第６フラップ板（２８）（２９）を折り込んで第２片部（２９０）  を第２孔部（２３０）  に圧入することにより成形されるから、これら筒体（２００）（２００）の製作が更に容易となっている。
【００４７】
このものでは、主板（２０）及び第２・第３側板（２２）（２３）によっても衝撃力が吸収されるから、上記緩衝性能が更に向上している。又、主板（２０）から筒体（２００）（２００）までが一枚の段ボール紙（第１段ボール紙（２）  ）により形成されているから、その構成が簡素化されると共に、製作が容易となっている。
更に、湯沸器（１）  は、コ字状断面の第１段ボール紙（２）  により包囲されると共に、第１段ボール紙（２）  の前記コ字状断面の両端部に備えられた筒体（２００）（２００）の第４・第６フラップ板（２７）（２９）に接するから、この湯沸器（１）  の保持状態が安定する。
【００４８】
又、第４・第６フラップ板（２７）（２９）は、湯沸器（１）  に於ける比較的強度の大きいコーナー部に接するから、衝撃力が作用したときの湯沸器（１）  の損傷が抑えられる。
この第１段ボール紙（２）  の中間層の波形紙（２ａ）の凹凸が筒体（２００）（２００）の軸方向に連続しているから、筒体（２００）（２００）を構成する第３〜第６フラップ板（２６）（２７）（２８）（２９）の剛性が大きいものとなる。これにより、衝撃力の吸収量が大きくなり、前記緩衝性能が更に向上している。
【００４９】
更に、上記の突片（２１１）（２１１）が設けられていることから、これら突片（２１１）（２１１）の変形によっても衝撃力が吸収され、前記緩衝性能が更に向上している。又、これら突片（２１１）（２１１）によって、第２・第３側板（２２）（２３）と外箱（６）  との間に空間が形成され、第２・第３側板（２２）（２３）が筒体（２００）（２００）側から衝撃を受けた場合に、第２・第３側板（２２）（２３）が外箱（６）  側に撓むことができるから、この点でも、前記緩衝性能が向上している。
【００５０】
このものでは、図１、図４及び図８に示すように、第２側板（２２）に於ける主板（２０）の反対側の端部は、筒体（２００）  よりも突出する突出部（２２２）  となっており、又、第３側板（２３）に於ける主板（２０）の反対側の端部は、筒体（２００）  よりも突出する突出部（２３２）  となっている。そして、これら突出部（２２２）（２３２）の先端は、図８に示すように、外箱（６）  の閉塞板（６１）（６１）に略一致している。従って、これら突出部（２２２）（２３２）の変形によっても衝撃力を吸収でき、この点でも、前記緩衝性能が向上している。
【００５１】
又、これら突片（２１１）（２１１）が主板（２０）の主体部と同一平面に位置し且つ突片（２１１）（２１１）が外箱（６）  の構成壁に対して略直角姿勢となっているから、これら突片（２１１）（２１１）の変形による衝撃吸収量が大きくなる。この点でも、前記緩衝性能が向上している。
更に、突出片（４００）（４００）、矩形片（３００）（３００）、第１折込み板（３１）、及び、第３折込み板（４１）等の変形によっても衝撃力が吸収されるから、前記緩衝性能が更に向上している。又、外箱（６）  によっても衝撃力が吸収されるから、前記緩衝性能が更に向上している。
【００５２】
そして、湯沸器(1) の梱包材料が全て段ボール紙製であるから、既述した発泡スチロール製の緩衝ブロックの場合のような分別作業が不要となり、リサイクルし易いものとなっている。
このものでは、上記の湯沸器(1)が既述特許請求の範囲に記載の「機器」である。又、上記の筒体(200)(200)が既述の「筒体」、「緩衝手段」であり、更に、上記の第１段ボール紙(2)が既述の「主体板」であり、上記の突片(211)(211)が既述の「突出板」であり、上記の外箱(6)が既述の「外箱」である。
［他の実施の形態］
(1)．上記の実施の形態では、既述の「機器」を湯沸器(1)としているが、これには限定されない。又、直方体状でなくても、例えば、円柱状でもよい。
【００５４】
(2)．上記の実施の形態では、第１・第２片部(270)(290)と第１・第２孔部(220)(230)の周縁部との摩擦抵抗によって、第４・第６フラップ板(27)(29)が第２・第３側板(22)(23)に対して脱落阻止状態に連結されるものとしたが、これを、第１・第２片部(270)(290)に於ける第２・第３側板(22)(23)の外側の部分を広幅の拡大片部（図示せず）とし、これら拡大片部が第２・第３側板(22)(23)に対して係合することにより脱落阻止状態に連結されるものでもよい。
【図面の簡単な説明】
【図１】本願発明の実施の形態に於ける湯沸器（１）  の梱包構造の組立て斜視図
【図２】図１の湯沸器（１）  の正面図
【図３】図２の湯沸器（１）  の側面図
【図４】図１の第１段ボール紙（２）  の展開図
【図５】図１の第２段ボール紙（３）  の展開図
【図６】図１の第３段ボール紙（４）  の展開図
【図７】図１の梱包構造の組立て手順の説明図
【図８】図１の梱包構造の完成状態での断面図
【図９】湯沸器（１）  の従来の梱包構造の説明図
【符号の説明】
（１）  ・・・湯沸器
（２００）  ・・・筒体
（２）  ・・・第１段ボール紙
（６）  ・・・外箱
【図１】
0003604236.tif 000002
【図２】
0003604236.tif 000003
【図３】
0003604236.tif 000004
【図４】
0003604236.tif 000005
【図５】
0003604236.tif 000006
【図６】
0003604236.tif 000007
【図７】
0003604236.tif 000008
【図８】
0003604236.tif 000009
【図９】
0003604236.tif 000010